(57)【要約】【課題】光学式ピックアップより照射されるレーザーによってディスクに信号を記録することが出来る光ディスク記録再生装置の記録制御方法を提供する。【解決手段】ディスクにデータ信号の記録動作を行った後該データ信号の記録位置を示す情報データをディスクに設けられているバッファ領域に記録するとともに該バッファ領域に記録されている情報データを読み出し、その読み出された情報データに基づいて記録されたデータ信号のＴＯＣデータをリードイン領域に記録するように構成された光ディスク記録再生装置において、バッファ領域に記録されている情報データが異常記録されているとき、該情報データの書き換え動作を行い、該書き換え動作が正常に行えなかったとき、ディスクを再生専用ディスクとして使用するとともに該ディスクに記録されている信号を消去可能とする。【選択図】　　図１
2004095046.tif 000002
【特許請求の範囲】
【請求項１】
ディスクにデータ信号の記録動作を行った後該データ信号の記録位置を示す情報データをディスクに設けられているバッファ領域に記録するとともに該バッファ領域に記録されている情報データを読み出し、その読み出された情報データに基づいて記録されたデータ信号のＴＯＣデータをリードイン領域に記録するように構成された光ディスク記録再生装置において、バッファ領域に記録されている情報データが異常記録されているとき、該情報データの書き換え動作を行い、該書き換え動作が正常に行えなかったとき、ディスクを再生専用ディスクとして使用するとともに該ディスクに記録されている信号を消去可能とするようにしたことを特徴とする光ディスク記録再生装置の記録制御方法。
【請求項２】
ディスクにデータ信号の記録動作を行った後該データ信号の記録位置を示す情報データをディスクに設けられているバッファ領域に記録するとともに該バッファ領域に記録されている情報データを読み出し、その読み出された情報データに基づいて記録されたデータ信号のＴＯＣデータをリードイン領域に記録するように構成された光ディスク記録再生装置において、バッファ領域に記録されている情報データが異常記録されているとき、該情報データの書き換え動作を行い、該書き換え動作が正常に行えなかったとき、ディスクを再生専用ディスクとして使用するとともに該ディスクをフォーマット可能とするようにしたことを特徴とする光ディスク記録再生装置の記録制御方法。
【発明の詳細な説明】
【０００１】
【発明の属する技術分野】
本発明は、光学式ピックアップより照射されるレーザーによってディスクに信号を記録するとともにレーザーによってディスクに記録されている信号の再生動作を行うように構成された光ディスク記録再生装置に関する。
【０００２】
【従来の技術】
光学式ピックアップを用いてディスクに記録されている信号の読み出し動作を行うディスクプレーヤーが普及しているが、最近では、再生機能に加えて光学式ピックアップより照射されるレーザーによってディスクに信号を記録することが出来るように構成された光ディスク記録再生装置が商品化されている。
【０００３】
【発明が解決しようとする課題】
ディスクに何度も信号を繰り返して記録することが出来る書き換え型と呼ばれる光ディスク記録再生装置では、ホスト機器であるコンピューター装置からの記録命令に従って信号の記録動作を行うように構成されているが、斯かる記録動作が終了したとき、信号の記録位置や記録された信号の種類等を示すＴＯＣデータをディスクに設けられているリードイン領域に記録するように構成されている。斯かるリードイン領域へのＴＯＣデータの記録動作は、ディスクに設けられているバッファ領域に情報データを所定フレーム数繰り返して記録し、その記録された情報データを読み出すことによって行うように構成されている。
【０００４】
斯かる光ディスク記録再生装置において、信号記録領域にデータ信号を記録させるときには、バッファ領域に情報データを記録する動作が行われるが、サーボの異常、汚れ及び傷等の影響によって斯かる情報データの記録動作が所定のフレーム数正確に行えないことがある。
【０００５】
前記バッファ領域に記録されている情報データの読み出し動作を行ったとき所定フレーム数の読み出し動作が行えなかった場合には、該情報データが正常に記録されていないと判断し、ディスクの信号記録領域に記録されているデータ信号から情報データを作成し、その情報データをバッファ領域に記録するという動作を行うように構成されている。
【０００６】
しかしながら、斯かる動作を行ったにも係らずバッファ領域に情報データを正常に記録することが出来ないことがあり、この場合には、使用されているディスクを再生のみ可能なディスクとして扱う信号をコンピューター装置に出力するように構成されている。この場合、使用されているディスクに記録されている信号の消去動作やフォーマット動作を行うことが出来ないという問題がある。
【０００７】
本発明は、斯かる問題を解決することが出来る光ディスク記録再生装置の記録制御方法を提供しようとするものである。
【０００８】
【作用】
本発明は、バッファ領域に記録されている情報データが異常記録されているとき、該情報データの書き換え動作を行い、該書き換え動作が正常に行えなかったとき、ディスクを再生専用ディスクとして使用するとともに該ディスクに記録されている信号を消去可能とするように構成されている。
【０００９】
また、本発明は、バッファ領域に記録されている情報データが異常記録されているとき、該情報データの書き換え動作を行い、該書き換え動作が正常に行えなかったとき、ディスクを再生専用ディスクとして使用するとともに該ディスクをフォーマット可能とするように構成されている。
【００１０】
【実施例】
図１は本発明に係る光ディスク記録再生装置の一実施例を示すブロック回路図、図２はディスクの記録フォーマットを示す図である。
【００１１】
まず、ディスク上の記録フォーマットについて、図２を参照して説明する。ディスクには、内周側より記録用のレーザー出力を調整する場合にテスト信号が記録される試し書き領域Ａ及びデータ信号の記録動作が終了する毎に信号記録位置を示す情報データ等が記録されるバッファ領域Ｂが設けられ、その外周側に信号が記録される信号記録領域が設けられている。
【００１２】
ディスクの信号記録領域には、信号の記録位置や記録された信号の種類等を示すＴＯＣデータが記録されるリードイン領域Ｔ１、該リードイン領域Ｔ１に記録されているＴＯＣデータに対応した信号が記録されているデータ信号記録領域Ｃ及びＤ、そしてリードアウト領域Ｌ１が形成され、これらの領域、即ちＴ１、Ｃ、Ｄ及びＬ１が１つのセッションとして形成されることになる。このように記録されたディスクに次回の記録動作を行う場合には、ＴＯＣデータが記録されるリードイン領域Ｔ２、該リードイン領域Ｔ２に記録されているＴＯＣデータに対応した信号が記録されているデータ信号記録領域Ｅ、Ｆ及びＧ、そしてリードアウト領域Ｌ２が形成されることになる。以下同様の構成にてデータ信号がディスクに記録されることになる。
【００１３】
図１において、１はスピンドルモーター２によって回転駆動されるターンテーブル３に載置されるディスクであり、該ターンテーブル３の回転により回転駆動されるように構成されている。また。前記ディスク１には、位置情報データがウォブルと呼ばれる溝によって記録されており、この溝より得られるウォブル信号に基づいて信号の記録再生動作が行われるように構成されている。４はディスク１に光ビームを照射させるレーザーダイオード及び該レーザーダイオードより照射される光をモニターするモニター用ダイオードが組み込まれているとともにディスク１の信号面より反射される光ビームを受ける光検出器が組み込まれている光学式ピックアップであり、ピックアップ送り用モーター（図示せず）によってディスク１の径方向に移動せしめられるように構成されている。
【００１４】
５は前記光学式ピックアップ４に組み込まれている光検出器から得られるＲＦ信号を増幅するとともに波形成形するＲＦ信号増幅回路、６は前記ＲＦ信号増幅回路５を介して得られる信号に基づいて前記光学式ピックアップ４の光ビームをディスク１の信号面に合焦させるフォーカシング制御動作及び該光ビームを前記信号面の信号トラックに追従させるトラッキング制御動作を行うピックアップ制御回路である。
【００１５】
７は前記ＲＦ信号増幅回路５より出力される信号のデジタル信号処理を行うとともに各種信号の復調動作を行うデジタル信号処理回路、８は前記デジタル信号処理回路７にて信号処理されたデジタル信号が入力される信号再生用回路であり、ディスク１に記録されている情報がオーディオ信号である場合には、アナログ信号に変換した後増幅器等に出力し、コンピューターソフトのようなデータ信号の場合にはデジタル信号のままホストとして設けられているコンピューター装置９に出力する作用を成すものである。
【００１６】
１０は前記デジタル信号処理回路７により復調された信号が入力されるとともに前記コンピューター装置９から出力される命令信号に応じて種々な制御動作を行うシステム制御回路である。１１はテスト信号や情報信号等の記録信号が入力されるとともにその信号をエンコード処理し、レーザー駆動回路（図示せず）によるレーザーの照射動作を制御することによってデータ信号等を前記ディスク１に記録させる信号記録用回路である。
【００１７】
１２はコンピューター装置９より出力される記録信号であるデータ信号が一時的に記憶されるバッファ用ＲＡＭであり、ディスク１への記録動作に対応して信号の書き込み動作及び読み出し動作が制御されるように構成されている。１３は前記スピンドルモーター２を回転駆動するスピンドルモーター駆動回路であり、ディスク１を所望の回転速度にて駆動するように構成されている。そして、斯かるディスク１の回転速度は、規定の速度だけでなく規定の速度に対して数倍及び数十倍の高速にて駆動することが出来るように構成されている。
【００１８】
以上の如く、本発明に係る光ディスク記録再生装置は構成されているが、次に斯様に構成された回路における再生動作について説明する。コンピューター装置９よりドライブ装置を構成するシステム制御回路１０に対して再生動作を行うための命令信号が出力されると、該システム制御回路１０による再生動作のための制御動作が開始される。斯かる再生動作が行われる場合には、光学式ピックアップ４に組み込まれているレーザーダイオードには、信号の読み出し動作を行うためのレーザー出力が得られる駆動電流がレーザー駆動回路より供給されるように設定されている。
【００１９】
斯かる再生動作のための制御動作が開始されると、スピンドルモーター駆動回路１３によるスピンドルモーター２の回転制御動作が行われるが、斯かるスピンドルモーター２の回転制御動作は、ウォブル信号をデコードして得られる同期信号と基準信号生成回路（図示せず）より出力される基準信号とを比較することによりディスク１を所望の線速度一定にて回転駆動するように行われる。斯かる制御動作は、後述する信号の記録動作時にも同様に行われる。
【００２０】
スピンドルモーター２の回転制御動作は、以上の如く行われるが、信号の読み出し動作を行う光学式ピックアップ４では、フォーカシング制御動作及びトラッキング制御動作が開始されて該光学式ピックアップ４によるディスク１からの信号の読み出し動作が行われる。そして、信号記録領域に記録されている信号の再生動作は、まず、ディスク１の最初のセッションを構成するリードイン領域Ｔ１に記録されているＴＯＣデータの読み出し動作を行うことから開始される。
【００２１】
ディスク１に設けられている最初のセッションの信号記録領域に記録されているデータ信号の読み出し再生動作は、リードイン領域Ｔ１に記録されているＴＯＣデータに基づいて行われることになる。前記光学式ピックアップ４によって読み出された信号は、ＲＦ信号増幅回路５を通して増幅及び波形成形された後デジタル信号処理回路７に入力されて信号の復調動作が行われる。前記デジタル信号処理回路７により信号処理が行われて情報データが抽出されると、該情報データは誤り訂正等の信号処理が行われた後、信号再生用回路８に印加される。
【００２２】
そして、前記信号再生用回路８は、ディスク１から読み出された情報データがオーディオ信号である場合には、アナログ信号に変換した後増幅器等に出力し、コンピューターソフトのようなデータ信号の場合にはデジタル信号のままコンピューター装置９に出力することになる。
【００２３】
以上の如く、再生動作は行われるが、斯かる再生動作はリードイン領域Ｔ１に記録されているＴＯＣデータに基づいて行われるため、再生される信号は、最初のセッションを構成するデータ信号記録領域Ｃ及びＤに記録されているものである。同様に次のセッションを構成するリードイン領域Ｔ２に記録されているＴＯＣデータを読み出すことによって該ＴＯＣデータに対応した信号が記録されているデータ信号記録領域Ｅ、Ｆ及びＧに記録されている信号の再生動作を行うことが出来る。
【００２４】
以上に説明したように本実施例における再生動作は行われるが、次にディスク１への信号の記録動作について説明する。
【００２５】
ディスク１に信号を記録する動作は、まずディスク１に設けられている試し書き領域Ａにテスト信号を記録及び再生することにより記録動作に最適なレーザー出力が得られる駆動電流がレーザーダイオードに供給されるように設定される。斯かるレーザー出力の設定動作が行われると、バッファ領域Ｂに記録されている情報データ、即ち信号記録領域に記録されている信号の位置情報等を読み出す動作が行われる。
【００２６】
このようにして読み出された情報データに基づいてディスク１に設けられている信号記録領域にデータ信号の記録動作が可能であるか、また、記録動作を行う位置は何処か等の認識動作が行われるが、まずデータ信号が全く記録されていないディスクの場合について説明する。
【００２７】
斯かるディスクの場合には、バッファ領域Ｂの外周側に設けられている所定の位置より信号が記録されることになるが、コンピューター装置９より出力される記録信号であるデータ信号は、バッファ用ＲＡＭ１２に一旦書き込まれる。そして、データ信号の記録動作は、所定のリードイン領域Ｔ１を設け、その外周側より開始されるが、その記録動作は前記バッファ用ＲＡＭ１２に書き込み記憶されているデータ信号を読み出すことによって行われる。このようにして、記録動作が開始されるが、１つのデータ分の記録動作が信号記録領域Ｃに対して行われると、そのデータ信号が記録された位置を示す情報データがシステム制御回路１０によって動作が制御されるデータ用メモリー回路１４に記憶される。また、前記データ用メモリー回路１４に記憶された情報データは、ディスク１に設けられているバッファ領域Ｂに所定回数繰り返して記録される。
【００２８】
このようにして、信号記録領域Ｃ分のデータ信号の記録動作が終了するが、コンピューター装置９より次のデータ信号を記録するための命令が出されると、前記バッファ領域Ｂに記録されている情報データの読み出し動作が行われる。このようにして読み出された情報データによって次のデータ信号を記録する位置、即ち信号記録領域Ｃに続くトラックの位置を認識することが出来る。
【００２９】
斯かる認識動作が行われた後、記録するデータ信号が信号記録用回路９に入力されると、前述したようにデータ信号が信号記録領域Ｄに記録されることになるが、斯かる動作が終了すると前述したようにデータ用メモリー回路１４への情報データの記憶動作及びバッファ領域Ｂへの記録動作が行われる。
【００３０】
信号記録領域Ｄのデータ信号の記録動作が終了したとき、信号記録領域Ｃ及びＤに記録されたデータ信号を１つのセッションとして記録動作を終了させるための命令信号がコンピューター装置９より出力されると、前記信号記録領域Ｃ及びＤに記録されたデータ信号の読み出し動作を行い記録されたデータ信号の種類、その記録位置を示す情報データ及びリードアウト領域Ｌ１の位置情報等のＴＯＣデータをリードイン領域Ｔ１に記録する動作が行われる。斯かる動作が行われて、リードイン領域Ｔ１、信号記録領域Ｃ、Ｄ及びリードアウト領域Ｌ１より成る最初のセッションの記録動作が終了することになる。
【００３１】
このようにしてデータ信号が記録されていないディスク１に対する記録動作は行われるが、次に最初のセッションが記録されているディスクを使用して記録動作を行う場合について説明する。
【００３２】
最初のセッションが記録されているディスクを使用して記録動作を開始させる操作を行うと、レーザー出力の設定動作及びディスクに記録されている情報の認識動作が行われる。斯かる動作は、バッファ領域Ｂに記録されている情報データを読み出すことにより、データ信号が記録されているディスクであることの認識が行われるとともにその情報データによってリードイン領域Ｔ１の位置を認識することが出来る。
【００３３】
リードイン領域Ｔ１の位置が認識されると、光学式ピックアップ４の光ビームを該リードイン領域Ｔ１に移動させ、該リードイン領域Ｔ１に記録されているＴＯＣデータの読み出し動作を行う。斯かるＴＯＣデータを読み出すことによりリードアウト領域Ｌ１の位置を認識することが出来る。従って、新しいデータ信号の記録する開始位置を認識することが可能となり、前述した記録動作がリードアウト領域Ｌ１の外側より開始される。斯かる記録動作が行われることによりリードイン領域Ｔ２、信号記録領域Ｅ、Ｆ、Ｇ及びリードアウト領域Ｌ２より成る次のセッションの記録動作が終了することになる。
【００３４】
各セッションの記録動作が終了する場合の動作は、以上の如く行われるが、次に１つのセッションを終了させないで記録動作を終了させた場合の動作について説明する。斯かる動作は、最後に記録した信号記録領域に続けて同一のセッションを構成する信号記録領域を構成する場合に行われる。即ち、斯かる記録動作を行う場合には、例えば、リードイン領域Ｔ３にＴＯＣデータを記録しないままで記録動作を終了させることにより行われる。
【００３５】
例えば、リードイン領域Ｔ３の外側に信号記録領域Ｈだけデータ信号を記録させた後記録動作を終了させる場合の動作について説明する。信号記録領域Ｈにデータ信号を記録すると、前述したようにその記録位置を示す情報データがデータ用メモリー回路１４に記憶されるとともに該データ用メモリー回路１４に記憶された情報データがディスク１に設けられているバッファ領域Ｂに記録される。斯かる記録動作が行われた後、コンピューター装置９の制御動作によって記録動作が終了する。
【００３６】
このようにして、記録動作が終了された場合には、リードイン領域Ｔ３には、ＴＯＣデータが記録されることはない。斯かるディスクを使用して次のデータ信号の記録動作を開始させる操作を行うと、前述したようにレーザー出力の設定動作及びディスクに記録されている情報の認識動作が行われる。
【００３７】
斯かる動作は、バッファ領域Ｂに記録されている情報データを読み出すことにより、データ信号が記録されているディスクであることの認識が行われるとともにその情報データによってリードイン領域Ｔ３の位置を認識することが出来る。
【００３８】
リードイン領域Ｔ３の位置が認識されると、光学式ピックアップ４の光ビームを該リードイン領域Ｔ３に移動させ、該リードイン領域Ｔ３に記録されているＴＯＣデータの読み出すための動作が行われるが、この場合には該リードイン領域Ｔ３にはＴＯＣデータが記録されていないので、ＴＯＣデータ読み出すことが出来ない。斯かるＴＯＣデータの読み出し動作が行われないことにより、セッションを終了させる記録動作が行われていないことを認識することが出来る。
【００３９】
この場合には、前記バッファ領域Ｂに記録されている情報データから信号記録領域Ｈが記録されている位置を示す情報データを読み出し、この情報データにて次のデータ信号を記録する位置、即ち信号記録領域Ｈに続くトラックの位置を認識することが出来る。
【００４０】
斯かる認識動作が行われた後、記録するデータ信号が信号記録用回路９に入力されると、前述したようにデータ信号が信号記録領域Ｈの外周側に信号記録領域Ｉとして記録されることになるが、斯かる動作が終了すると前述したようにデータ用メモリー回路１４への情報データの記憶動作及びバッファ領域Ｂへの記録動作が行われる。このようにリードイン領域Ｔ３にＴＯＣデータが記録されていないディスクを使用した場合の信号記録動作は行われるが、信号記録領域Ｈ及びＩを含むセッションの記録動作を終了させる命令信号がコンピューター装置９より出力されると、前述したようにリードイン領域Ｔ３にＴＯＣデータが記録されるとともにリードアウト領域が設定されて記録動作が終了することになる。
【００４１】
以上に説明したようにディスク１に対するデータ信号の記録動作は行われるが、次にリードイン領域にＴＯＣデータを記録する場合の動作について説明する。
【００４２】
最初のセッションの記録動作を終了させる場合には、前述したようにリードイン領域Ｔ１にＴＯＣデータ、即ち信号記録領域Ｃ及びＤに記録されたデータ信号の種類、その記録位置を示す情報データ及びリードアウト領域Ｌ１の位置を示す情報データを記録する処理動作が行われるが、斯かる処理動作が行われるとき、リードアウト領域Ｌ１の外周側にある信号の記録可能領域、即ち記録可能残量の検出動作が行われる。
【００４３】
斯かる記録可能残量の検出動作は、ディスク１の記録容量とリードアウト領域Ｌ１の位置情報とに基づいて演算することにより簡単に行うことが出来る。そして、検出された記録可能残量が所定量、例えばＴＯＣデータを書き込むリードイン領域、所定長のリードアウト領域及びデータ信号を記録するために最低設けなければならないトラック数を設けることが可能な容量以上あるか否かの判定が行われる。
【００４４】
斯かる判定動作によって記録可能残量が所定量あると判定された場合には、リードイン領域Ｔ１に通常のＴＯＣデータが記録されることになる。従って、次のセッションの記録動作を前述したように行うことが出来る。反対に、判定動作によって記録可能残量が所定量無い、即ち所定量より少ないと判定された場合には、リードイン領域Ｔ１には通常のＴＯＣデータ、即ち信号記録領域Ｃ及びＤに記録されたデータ信号の種類、その記録位置を示す情報データ及びリードアウト領域Ｌ１の位置を示す情報データに加えて次ぎの記録動作を行うことが出来る残量が無いことを示すデータ、例えば記録不可データが記録される。
【００４５】
斯かる記録不可データが記録されると、次回の記録動作を行う場合にリードイン領域Ｔ１に記録されているＴＯＣデータの中の記録不可データが読み出されるので、このデータによってデータ信号の記録動作を行うことが出来ないディスクであることを認識することが出来る。従って、このような記録不可データが読み出された場合に、記録動作を行うことが出来ないディスクであることを表示するように構成することによって使用者に認知させることが出来る。
【００４６】
以上に説明したように本実施例における信号の記録動作は行われるが、次に本発明の要旨について説明する。前述したようにコンピューター装置９より出力されるデータ信号の各信号記録領域への記録動作は行われるが、斯かる記録動作が行われる毎にディスク１に設けられているバッファ領域Ｂへの情報データの記録動作が行われる。
【００４７】
ディスク１に設けられているバッファ領域Ｂには、１情報が５フレーム記録され、且つその記録動作は１０フレームを１つの記録単位として記録されるように構成されている。１情報であるＴＯＣデータを作成するための情報であるトラック番号及び記録位置を示すアドレス等を示す情報データは、５フレーム記録されるが、記録動作は１０フレームを１つの単位として行われるため、同一の情報データが１０フレーム記録されることになる。また、バッファ領域Ｂに記録される情報データとしては、前述したＴＯＣデータの他にディスクを識別するための識別データがあり、この識別データは、１つのディスクに一度記録すれば良く、且つそのデータは、１情報である。
【００４８】
従って、記録動作を行う場合に、ディスクの識別データを記録しない場合には、データ信号の記録動作を行う毎に１つの情報であるＴＯＣデータが５フレームを２回、即ち１０フレームずつバッファ領域Ｂに記録されることになる。また、ディスクの識別データを記録する場合には、最初に１情報である識別データが５フレーム記録された後１つの情報であるＴＯＣデータが５フレーム記録されることになる。そして、次のデータ信号の記録動作を行う場合には、ＴＯＣデータのみが記録されることになるので、１つの情報であるＴＯＣデータが５フレームを２回、即ち１０フレームずつバッファ領域Ｂに記録されることになる。
【００４９】
光ディスク記録再生装置において、記録動作を開始するためには、前述したように前記バッファ領域Ｂに記録されている情報データを読み出すことによって行われるが、バッファ領域Ｂに記録されている情報データが１０フレームずつ正確に記録されていない場合があり、この場合には、情報データが異常記録されていると判断する。
【００５０】
情報データがバッファ領域Ｂに異常記録されていると判断されると、ディスク１に記録されている信号の読み出し動作を行い、その読み出された信号に基づいて前記バッファ領域Ｂに情報データを再度書き込むという書き換え動作を行う。斯かる動作によってバッファ領域Ｂに書き込まれる情報データは、前述したように１つの情報が１０フレームずつ記録されることになる。斯かる情報データのバッファ領域Ｂへの記録動作が正常に行われた場合には、ディスク１に対して通常の記録動作を行うことが出来る。
【００５１】
前述したようにバッファ領域Ｂに記録されている情報データが異常記録されていた場合には、該情報データの書き換え動作が行われるが、斯かる書き換え動作が正常に行えなかった場合には、システム制御回路１０よりコンピューター装置９に対し、使用されているディスク１は、記録することが不可能な再生専用ディスクとして扱うようにセットするための信号が出力されるが、本発明では、斯かる信号だけでなく該ディスク１を消去可能ディスクやフォーマット可能ディスクとして扱うようにセットするための信号が出力される。
【００５２】
斯かる各信号をコンピューター装置９が受信するとディスク１を再生専用ディスクとして扱うための制御動作がおこなわれるため、コンピューター装置９よりディスク１に記録されている信号を読み出すための命令信号が出力されると、システム制御回路１０の働きによって該ディスク１に記録されている信号の読み出し動作を行うことが出来る。
【００５３】
また、使用者は、システム制御回路１０よりコンピューター装置９に出力される信号に基づいて光ディスク記録再生装置に装着されているディスク１への記録動作を行うことが出来ないことを認識することが出来るが、該ディスク１は消去可能なディスクとして扱うことが出来る状況にセットされているため、使用者が該ディスク１に記録されている信号を消去したい場合には、コンピューター装置９より消去動作を行うための命令信号を出力すると該ディスク１に記録されている信号の消去動作を行うことが出来る。そして、このディスク１は書き換え可能なディスクであるため、該ディスク１は再生専用ディスクではなく記録可能ディスクとして扱われることになる。
【００５４】
同様にディスク１は、フォーマット可能ディスクとして扱われるため、使用者がフォーマットするための操作を行うと、コンピューター装置９よりシステム制御回路１０に対してフォーマットするための命令信号が出力されるので、ディスク１をフォーマットすることが出来る。
【００５５】
【発明の効果】
本発明は、ディスクにデータ信号の記録動作を行った後該データ信号の記録位置を示す情報データをディスクに設けられているバッファ領域に記録するとともに該バッファ領域に記録されている情報データを読み出し、その読み出された情報データに基づいて記録されたデータ信号のＴＯＣデータをリードイン領域に記録するように構成された光ディスク記録再生装置において、バッファ領域に記録されている情報データが異常記録されているとき、該情報データの書き換え動作を行い、該書き換え動作が正常に行えなかったとき、ディスクを再生専用ディスクとして使用するとともに該ディスクに記録されている信号を消去可能とするようにしたので、該ディスクを記録用ディスクとして再度使用することが出来る。
【００５６】
また、本発明は、ディスクにデータ信号の記録動作を行った後該データ信号の記録位置を示す情報データをディスクに設けられているバッファ領域に記録するとともに該バッファ領域に記録されている情報データを読み出し、その読み出された情報データに基づいて記録されたデータ信号のＴＯＣデータをリードイン領域に記録するように構成された光ディスク記録再生装置において、バッファ領域に記録されている情報データが異常記録されているとき、該情報データの書き換え動作を行い、該書き換え動作が正常に行えなかったとき、ディスクを再生専用ディスクとして使用するとともに該ディスクをフォーマット可能とするようにしたので、該ディスクをフォーマットし直した後記録用ディスクとして再度使用することが出来る。
【図面の簡単な説明】
【図１】本発明に係る光ディスク記録再生装置の一実施例を示すブロック回路図である。
【図２】ディスクの記録フォーマットを示す図である。
【符号の説明】
１　　　　ディスク
２　　　　スピンドルモーター
４　　　　光学式ピックアップ
７　　　　デジタル信号処理回路
８　　　　信号再生用回路
９　　　　コンピューター装置
１０　　　　システム制御回路
１１　　　　信号記録用回路
１２　　　　バッファ用ＲＡＭ
１３　　　　スピンドルモーター駆動回路
１４　　　　データ用メモリー回路
【図１】
2004095046.tif 000003
【図２】
2004095046.tif 000004